(57)【要約】【課題】運搬コストを低減すると共に、その支持作業も簡単で運搬作業を容易かつ迅速に行うことができ、かつ、運搬中の管材や柱材の姿勢を安定させ、脱落等の不具合を確実に防止することができる長尺剛性材運搬装置の提供。【解決手段】横架材１０に両端を固着した可撓性長尺材３３により長尺剛性材Ｐの長さ方向中央部を吊下げ支持する。横架材１０と直交する長尺弾性材４０により長尺剛性材Ｐの長さ方向両端側の上下動を抑制して姿勢を安定化する。移動用ハンドル５０を前後に傾動操作して、横架材１０を昇降し、長尺剛性材Ｐを昇降する。【選択図】    図１
2004284543.tif 000002
【特許請求の範囲】
【請求項１】
長尺剛性材の長さ方向中央部を、少なくとも下面側の一部に当接して吊下げ支持自在な吊下げ支持手段と、
長尺剛性材の長さ方向両端側の上下動を抑制して姿勢を安定化自在な姿勢安定化手段と、
前記吊下げ支持手段に連結され、吊下げ支持手段により長尺剛性材を吊り上げた状態で、前記吊下げ支持手段、姿勢安定化手段及び長尺剛性材を一体的に移動自在とする車輪を含む移動手段と
を備えることを特徴とする長尺剛性材運搬装置。
【請求項２】
更に、前記吊下げ支持手段に作用的に連結され、前記車輪に対して、下降位置と上昇位置との間で前記吊下げ支持手段を昇降操作自在で、下降位置で長尺剛性材を前記吊下げ支持手段に係合自在とし、上昇位置で前記吊下げ支持手段に係合した長尺剛性材を持ち上げて支持する昇降手段を備え、
前記移動手段は、更に、前記吊下げ支持手段に作用的に連結される移動用ハンドルを含み、
前記移動用ハンドルにより、前記吊下げ支持手段を押し引き操作して、前記吊下げ支持手段に装着した長尺剛性材を前記車輪を介して移動するようにした
ことを特徴とする請求項１記載の長尺剛性材運搬装置。
【請求項３】
前記吊下げ支持手段は、
長尺剛性材の軸方向と略直交する方向に延びる略円筒状の横架材と、
前記横架材から下方に垂下する略環状部分を形成自在で、その環状部分に長尺剛性材を挿入して吊下げ支持自在な吊下げ部とを含む
ことを特徴とする請求項１または２記載の長尺剛性材運搬装置。
【請求項４】
前記吊下げ部は、前記横架材の長さ方向一端付近から長さ方向他端付近まで周回する略環状部分を形成自在な可撓性長尺材を含み、
前記可撓性長尺材は、長尺剛性材の外周形状である円形に合致する内周形状へと追従して可撓変形自在であり、長尺剛性材の下側の外周面の所定角度にわたって連続的に線状に当接して長尺剛性材を吊下げ支持自在である
ことを特徴とする請求項３記載の長尺剛性材運搬装置。
【請求項５】
前記姿勢安定化手段は、長尺剛性材の長さ方向一端側及び他端側における長さ方向中心からの同一距離の位置の上面を上側からそれぞれ点状に当接支持し、長尺剛性材の長さ方向一端側及び他端側における荷重を均衡させて長尺剛性材の姿勢を安定させるものであることを特徴とする請求項１乃至４のいずれか１項記載の長尺剛性材運搬装置。
【請求項６】
前記吊下げ支持手段を、長尺剛性材の軸方向と略直交する方向に延びると共に長さ方向両端を開口する略円筒状の横架材と、前記横架材から下方に垂下する略環状部分を形成自在で、その環状部分に長尺剛性材を挿入して吊下げ支持自在な吊下げ部とより構成し、前記横架材には、ハンドル用開口と、掛止孔とを設け、
更に、略円筒状または略円柱状の連結軸を、前記横架材内に周方向への回動自在に収容すると共に、その長さ方向一端部を前記横架材のハンドル用開口から露出させ、
一対の回動材を前記連結軸の軸方向両端に同軸上に固定して、前記連結棒の軸を中心とした回動に連動して同一方向に回動するようにし、
前記回動材の軸方向と略直交して延びるアングル材の長さ方向一端を前記回動材の各々の端部に固定し、
前記車輪を、前記アングル材と略直交する車軸を介して前記アングル材の長さ方向他端に回動自在に軸着し、
前記移動用ハンドルを長尺状として、その先端部を前記横架材のハンドル用開口から挿入して前記連結軸と直交するよう前記連結軸に連結固定すると共に、その先端部以外の部分を前記横架材のハンドル用開口から外部に突出させて、前記移動用ハンドルを前傾位置と後傾位置との間で傾動操作自在とし、その傾動操作に伴い前記連結軸を正逆回転自在とすることにより、前記前傾位置で、前記アングル材を略水平状態とし、前記横架材を最下位置として前記吊下げ支持手段を下降位置とする一方、前記後傾位置で、前記アングル材を略垂直状態とし、前記横架材を最上位置として前記吊下げ支持手段を上昇位置とするようにした
ことを特徴とする請求項２記載の長尺剛性材運搬装置。
【請求項７】
更に、
前記移動用ハンドルの先端に出没自在に装着され、前記移動用ハンドルからの突出量が、前記移動用ハンドルの前傾位置では前記横架材の内周面に先端が当接する第１の突出量となり、前記移動用ハンドルの後傾位置では前記横架材の掛止孔に整合して前記横架材の掛止孔に挿入及び掛止される第２の突出量となる掛止部と、
前記移動用ハンドルの内部に収容され、前記掛止部に作用的に連結されて、前記掛止部を前記移動用ハンドルの先端から突出する方向に付勢する弾性手段と、前記移動用ハンドルの基端側に配設され、前記掛止部に作用的に連結されると共に、前記弾性手段の付勢力に抗して前記掛止部を前記第２の突出量から前記第１の突出量とする方向に移動自在な操作部と
を備えることを特徴とする請求項６記載の長尺弾性材運搬装置。
【発明の詳細な説明】
【０００１】
【発明の属する技術分野】
本発明は、水道工事に使用する鋳鉄管等の管材や柱材（本明細書中において「長尺剛性材」という）を運搬する長尺剛性材運搬装置に関する。
【０００２】
【従来の技術】
一般に、水道工事に使用する鋳鉄管等の管材や柱材の運搬は人手により行われている。例えば、水道工事現場で鋳鉄管をトラック等の荷台から荷降ろした後、配管位置等の施工位置へ運搬する場合、前後二人の現場作業員が鋳鉄管の前後両端部を吊下げて支持した状態で、荷降ろし位置から施工位置まで運搬している。なお、配管材の運搬に台車を使用する場合もある。かかる配管材運搬用台車として、例えば、特許文献１に記載の技術が提案されている。
【０００３】
【特許文献１】
特開平１０−１２９４９３号公報
【０００４】
特許文献１に記載の技術に係る配管材運搬用台車は、運搬される配管材の外形形状に対応した形状を有すると共に配管材の軸方向の一部が載置される載置面を含む台車本体と、台車本体に装着された脚部とを備えている。配管材の運搬の際は、２台以上の配管材運搬用台車が準備され、各配管材運搬用台車の載置面に配管材の軸方向の互いに異なる部位がそれぞれ載置される。各配管材運搬用台車は、ゴムバンドにより配管材に固定され、この状態で配管材が運搬される。
【０００５】
【発明が解決しようとする課題】
しかし、特許文献１に記載の技術では、１本の配管材を運搬するのに２台以上の配管材運搬用台車を使用する必要があるため、運搬コストが増大する。また、２台以上の配管運搬用台車にバランスを取りながら１本の配管材を載置して、ゴムバンドにより締結して支持する必要があるため、運搬前の配管材運搬用台車への配管材の締結及び支持作業が面倒で、運搬作業に時間がかかる。更に、２台以上前後に連なる配管材運搬用台車の軸線を１本の配管材の軸線上に合致させて運搬作業を行う必要があり、そうでない場合、運搬中において配管材運搬用台車上で配管材の姿勢が不安定になり、配管材が配管材運搬用台車から位置ずれしたり、最悪の場合、脱落したりする可能性がある。
【０００６】
そこで、本発明は、１台のみで長尺剛性材としての管材や柱材を支持して運搬することができ、運搬コストを低減することができると共に、その支持作業も簡単で運搬作業を容易かつ迅速に行うことができ、かつ、運搬中の管材や柱材の姿勢を安定させ、脱落等の不具合を確実に防止することができる長尺剛性材運搬装置の提供を課題とする。
【０００７】
【課題を解決するための手段】
請求項１に係る長尺剛性材運搬装置は、長尺剛性材の長さ方向中央部を、少なくとも下面側の一部に当接して吊下げ支持自在な吊下げ支持手段と、長尺剛性材の長さ方向両端側の上下動を抑制して姿勢を安定化自在な姿勢安定化手段と、前記吊下げ支持手段に連結され、吊下げ支持手段により長尺剛性材を吊り上げた状態で、前記吊下げ支持手段、姿勢安定化手段及び長尺剛性材を一体的に移動自在とする車輪を含む移動手段とを備える。
【０００８】
請求項２に係る長尺剛性材運搬装置は、請求項１の構成において、更に、前記吊下げ支持手段に作用的に連結され、前記車輪に対して、下降位置と上昇位置との間で前記吊下げ支持手段を昇降操作自在で、下降位置で長尺剛性材を前記吊下げ支持手段に係合自在とし、上昇位置で前記吊下げ支持手段に係合した長尺剛性材を持ち上げて支持する昇降手段を備え、前記移動手段は、更に、前記吊下げ支持手段に作用的に連結される移動用ハンドルを含み、前記移動用ハンドルにより、前記吊下げ支持手段を押し引き操作して、前記吊下げ支持手段に装着した長尺剛性材を前記車輪を介して移動するようにした。
【０００９】
請求項３に係る長尺剛性材運搬装置は、請求項１または２の構成において、前記吊下げ支持手段は、長尺剛性材の軸方向と略直交する方向に延びる略円筒状の横架材と、前記横架材から下方に垂下する略環状部分を形成自在で、その環状部分に長尺剛性材を挿入して吊下げ支持自在な吊下げ部とを含む。
【００１０】
請求項４に係る長尺剛性材運搬装置は、請求項３の構成において、前記吊下げ部は、前記横架材の長さ方向一端付近から長さ方向他端付近まで周回する略環状部分を形成自在な可撓性長尺材を含み、前記可撓性長尺材は、長尺剛性材の外周形状である円形に合致する内周形状へと追従して可撓変形自在であり、長尺剛性材の下側の外周面の所定角度にわたって連続的に線状に当接して長尺剛性材を吊下げ支持自在である。
【００１１】
請求項５に係る長尺剛性材運搬装置は、請求項１乃至４のいずれかの構成において、前記姿勢安定化手段は、長尺剛性材の長さ方向一端側及び他端側における長さ方向中心からの同一距離の位置の上面を上側からそれぞれ点状に当接支持し、長尺剛性材の長さ方向一端側及び他端側における荷重を均衡させて長尺剛性材の姿勢を安定させるものである。
【００１２】
請求項６に係る長尺剛性材運搬装置は、請求項２の構成において、前記吊下げ支持手段を、長尺剛性材の軸方向と略直交する方向に延びると共に長さ方向両端を開口する略円筒状の横架材と、前記横架材から下方に垂下する略環状部分を形成自在で、その環状部分に長尺剛性材を挿入して吊下げ支持自在な吊下げ部とより構成し、前記横架材には、ハンドル用開口と、掛止孔とを設け、更に、略円筒状または略円柱状の連結軸を、前記横架材内に周方向への回動自在に収容すると共に、その長さ方向一端部を前記横架材のハンドル用開口から露出させ、一対の回動材を前記連結軸の軸方向両端に同軸上に固定して、前記連結棒の軸を中心とした回動に連動して同一方向に回動するようにし、前記回動材の軸方向と略直交して延びるアングル材の長さ方向一端を前記回動材の各々の端部に固定し、前記車輪を、前記アングル材と略直交する車軸を介して前記アングル材の長さ方向他端に回動自在に軸着し、前記移動用ハンドルを長尺状として、その先端部を前記横架材のハンドル用開口から挿入して前記連結軸と直交するよう前記連結軸に連結固定すると共に、その先端部以外の部分を前記横架材のハンドル用開口から外部に突出させて、前記移動用ハンドルを前傾位置と後傾位置との間で傾動操作自在とし、その傾動操作に伴い前記連結軸を正逆回転自在とすることにより、前記前傾位置で、前記アングル材を略水平状態とし、前記横架材を最下位置として前記吊下げ支持手段を下降位置とする一方、前記後傾位置で、前記アングル材を略垂直状態とし、前記横架材を最上位置として前記吊下げ支持手段を上昇位置とするようにした。
【００１３】
請求項７に係る長尺剛性材運搬装置は、請求項６の構成において、更に、前記移動用ハンドルの先端に出没自在に装着され、前記移動用ハンドルからの突出量が、前記移動用ハンドルの前傾位置では前記横架材の内周面に先端が当接する第１の突出量となり、前記移動用ハンドルの後傾位置では前記横架材の掛止孔に整合して前記横架材の掛止孔に挿入及び掛止される第２の突出量となる掛止部と、前記移動用ハンドルの内部に収容され、前記掛止部に作用的に連結されて、前記掛止部を前記移動用ハンドルの先端から突出する方向に付勢する弾性手段と、前記移動用ハンドルの基端側に配設され、前記掛止部に作用的に連結されると共に、前記弾性手段の付勢力に抗して前記掛止部を前記第２の突出量から前記第１の突出量とする方向に移動自在な操作部とを備える。
【００１４】
【発明の実施の形態】
以下、本発明の実施の形態を説明する。なお、各実施の形態を通じ、同一の部材、要素または部分には同一の符号を付して、その説明を省略する。
【００１５】
実施の形態１
図１は本発明の実施の形態１に係る長尺剛性材運搬装置における吊下げ支持手段の下降位置を示す斜視図である。図２は本発明の実施の形態１に係る長尺剛性材運搬装置における吊下げ支持手段の上昇位置を示す斜視図である。図３は本発明の実施の形態１に係る長尺剛性材運搬装置における移動用ハンドルの前傾位置を示す要部拡大斜視図である。図４は本発明の実施の形態１に係る長尺剛性材運搬装置の連結部分を示す分解斜視図である。図５は本発明の実施の形態１に係る長尺剛性材運搬装置における移動用ハンドルの前傾位置及び吊下げ支持手段の下降位置を示す説明図である。図６は本発明の実施の形態１に係る長尺剛性材運搬装置における移動用ハンドルの後傾位置及び吊下げ支持手段の上昇位置を示す説明図である。
【００１６】
実施の形態１に係る長尺剛性材運搬装置は、吊下げ支持手段と、姿勢安定化手段と、移動手段とを備える。吊下げ支持手段は、長尺剛性材の長さ方向中央部を、少なくとも下面側の一部に当接して吊下げ支持自在である。姿勢安定化手段は、長尺剛性材の長さ方向両端側の上下動を抑制して姿勢を安定化自在である。移動手段は、前記吊下げ支持手段に連結され、吊下げ支持手段により長尺剛性材を吊り上げた状態で、前記吊下げ支持手段、姿勢安定化手段及び長尺剛性材を一体的に移動自在とする車輪を含む。
【００１７】
詳細には、図１〜図３に示すように、長尺剛性材運搬装置は、長尺剛性材Ｐをその軸方向に沿って前方へと搬送するものである。吊下げ支持手段は、横架材１０と、連結軸１５と、回動材２１，２５と、吊下げ部３０とを含み、長尺剛性材Ｐの長さ方向中央部の下面側（下半部）の略全周に当接して長尺剛性材を吊下げ支持自在である。具体的には、横架材１０は、両端を開口した略円筒状をなし、使用時には、長尺剛性材Ｐの軸方向または長尺剛性材Ｐの搬送方向Ｄと略直交する方向に延びるよう配置される。また、横架材１０は、ハンドル用開口１１と、掛止孔１２とを有する。ハンドル用開口１１は、横架材１０の外壁の周方向に所定角度範囲延びる切欠き形状をなす。より詳細には、ハンドル用開口１１は、横架材１０の一端側（搬送方向Ｄから見て左端側）の上部を周方向に所定角度切欠いた略四角状の開口である。また、掛止孔１２は、横架材１０の長さ方向一端側において、ハンドル用開口１１の周方向一端側（搬送方向Ｄから見て前端側）近傍に貫通配置されている。
【００１８】
図４に示すように、前記横架材１０の内部には、連結軸１５が周方向への回動自在に収容されている。連結軸１５は、略円柱状をなし、前記横架材１０のハンドル用開口１１から一端側（搬送方向Ｄから見て左端側）の上部が露出する。また、連結軸１５の一端側には、その外周面から直径方向に貫通して延びる軸部収容孔１６が形成されている。図５及び図６に示すように、軸部収容孔１６は、大径の円柱状をなし、連結軸１５の外周面から中心付近まで直径方向に延びている。軸部収容孔１６は、連結軸１５において前記ハンドル用開口１１から露出する部分の長さの範囲内の位置、好ましくは、その露出部分の長さ方向略中間位置に形成される。更に、連結軸１５には、軸部収容孔１６の先端に連続して、掛止部挿通孔１６ａが形成されている。掛止部挿通孔１６ａは、小径の円柱状をなし、軸部収容孔１６の先端から直径方向に延び、連結軸１５の外周面において前記軸部収容孔１６の基端開口と直径方向に対向する位置で開口している。ハンドル連結軸１５の他端側には、その直径方向に貫通して延びるボルト挿通孔１７が形成されている。一方、連結軸１５は、横架材１０の一端側（ハンドル用開口１１側）から内部に挿入され、その他端部が横架材１０の他端から所定長さ突出する。
【００１９】
連結軸１５の一端には、第１の回動材２１の一端が溶接等により固着されている。第１の回動材２１は、連結軸１５より若干大径の略円筒状または略円柱状をなし、連結軸１５と同軸上に固定される。一方、連結軸１５の他端には、第２の回動材２５の一端が溶接等により固着されている。第２の回動材２５は、連結軸１５より若干大径、好ましくは、前記第１の回動材と同一直径の略円筒状をなし、連結軸１５と同軸上に固定される。また、第２の回動材２５は、第１の回動材２１より若干長く形成することが好ましい。更に、第２の回動材２５は、少なくとも一端（搬送方向Ｄから見て左端）を開口し、その開口から前記連結軸１５の他端部（横架材１０からの突出部分）が内部に挿入されるようになっている。第２の回動材２５の他端（搬送方向Ｄから見て右端）の近傍には、前記連結軸１５のボルト挿通孔１７と整合するボルト挿通孔２６が貫通形成されている。詳細には、第２の回動材２５の周壁においてその直径方向に対向する位置に、一対のボルト挿通孔２６が形成されている。そして、第２の回動材２５の一端開口から連結軸１５の他端部を内部に挿入し、連結軸１５のボルト挿通孔１７を第２の回動材２５のボルト挿通孔２６と整合させ、それらのボルト挿通孔１７，２６にボルト２７の軸部を挿通して、ボルト２７の軸部にナット２８を螺合することにより、連結軸１５の他端部に第２の回動材２５を締結固定するようになっている。そして、連結軸１５の軸を中心とした回動に連動して、第１の回動材２１及び第２の回動材２５が一体となって同一方向に回動するようになっている。なお、連結軸１５のボルト挿通孔１７及び第２の回動材２５のボルト挿通孔２６の形成位置は、連結軸１５の軸部挿通孔１６を横架材１０のハンドル用開口１１の角度範囲内に配置したときにおける連結軸１５の周方向位置において、ボルト２７を取付けやすい角度位置であれば、任意の角度位置に形成することができる。
【００２０】
前記吊下げ部３０は、一対の支持突起３１，３２と、金属製または樹脂製のチェーン等からなる可撓性長尺材３３からなる。具体的には、第１の回動材２１の外周面、好ましくは、長さ方向他端側の外周面には、小さい円柱状の支持突起３１が固着されている。また、第２の回動材２５の外周面、好ましくは、長さ方向他端亜側の外周面には、小さい円柱状の支持突起３２が固着されている。そして、可撓性長尺材３３の両端が、支持突起３１及び支持突起３２にそれぞれ固定されている。吊下げ部３０は、可撓性長尺材３３により、第１及び第２の回動材２１，２５を介して横架材１０から下方に垂下する略環状部分を形成自在で、その環状部分に長尺剛性材Ｐを挿入して吊下げ支持自在である。具体的には、可撓性長尺材３３は、第１及び第２の回動材２１，２５並びに一対の支持突起３１，３２を介して、横架材１０の長さ方向一端付近から長さ方向他端付近まで周回する略環状部分を形成自在である。そして、可撓性長尺材３３は、長尺剛性材Ｐの周形状である円形に合致する内周形状へと追従して可撓変形自在となっている。実施の形態１では、可撓性長尺材３３は、一端を横架材１０の長さ方向一端付近に位置する第１の回動材２１上の支持突起３１に固着し、他端を横架材１０の長さ方向他端付近に位置する第１の回動材２１上の支持突起３１に予め固着し、或いは着脱自在としており、その他端を固着したときに前記略環状部分を形成する。そして、可撓性長尺材３３は、長尺剛性材Ｐの下側（下半部）の外周面の所定角度（下半部の略全体）にわたって連続的に線状に当接して長尺剛性材Ｐを吊下げ支持自在である。
【００２１】
前記姿勢安定化手段は、長尺剛性材Ｐの長さ方向一端側上面及び他端側上面を当接支持するものである。詳細には、姿勢安定化手段は、長尺剛性材Ｐの長さ方向一端側及び他端側における長さ方向中心からの同一距離の位置の上面を上側からそれぞれ点状に当接支持し、長尺剛性材Ｐの長さ方向一端側及び他端側における荷重を均衡させて姿勢を安定させる。実施の形態１では、姿勢安定化手段は、具体的には、吊下げ保持手段の横架材１０から長尺剛性材Ｐの軸方向一端側及び他端側へと延びる板ばね等の長尺弾性材４０からなる。即ち、長尺弾性材４０は、その長さ方向中央が横架材１０の長さ方向中央（左右中央）に溶接やネジ止め等により固定され、その長さ方向両側部が、横架材１０と略直交する方向において反対側へと同一長さ延びている。長尺弾性材４０の長さ方向両端（前後両端）には、それぞれ、下方へと屈曲する当接部４１及び当接部４２が一体形成されている。当接部４１，４２の下端縁は、それぞれ、長尺剛性材Ｐの外周面上部に対応する円弧状に形成され、長尺剛性材Ｐの外周面上部に略密接して当接するようになっている。
【００２２】
前記移動手段は、吊下げ支持手段に連結され、吊下げ支持手段により長尺剛性材Ｐを吊り上げた状態で、吊下げ支持手段、姿勢安定化手段及び長尺剛性材Ｐを一体的に移動自在とする。実施の形態１では、前記移動手段は、ハンドル手段の一例としての移動用ハンドル５０を備える。詳細には、移動用ハンドル５０は、全体として長尺状または棒状をなす。移動用ハンドル５０の先端部は、横架材１０のハンドル用開口１１から挿入されて前記連結軸１５と直交するよう前記連結軸１５に連結固定されている。また、移動用ハンドル５０は、その先端部以外の部分を前記横架材１０のハンドル用開口１１から外部に突出させている。前記移動用ハンドル５０は、軸部５１と、掛止棒５２と、操作部５３と、柄部５４とを備える。軸部５１は長寸円筒状をなし、軸部５１の内部には長寸棒状をなす掛止棒５２が同軸上に挿入されている。掛止棒５２は、その両端部が軸部５１の両端から突出するよう、軸部５１より長く形成されている。即ち、掛止棒５２の基端部（図１中の上端部）は軸部５１の基端（図１中の上端）から外部（図１中の上方）に突出している。一方、図５に示すように、掛止棒５２の先端部としての掛止部５２ａは、軸部５１の先端から外部に突出している。
【００２３】
図５及び図６に示すように、軸部５１の先端部は、その外周面を前記連結軸１５の軸部収容孔１６の内周面に密接させた状態で軸部収容孔１６内に挿入及び嵌合され、連結軸１５に固定される。即ち、前記連結軸１５の軸部収容孔１６は、移動用ハンドル５０の軸部５１の先端収容部分と略同一直径の円柱状をなす。また、連結軸１５の掛止部挿通孔１６ａ内には、掛止棒５２の掛止部５２ａが同軸上に挿通され、掛止部挿通孔１６ａ内を軸方向に移動自在となっている。即ち、連結軸１５の掛止部挿通孔１６ａは移動用ハンドル５０の掛止部５２ａより大径の円柱状をなす。ここで、掛止部５２ａは、前記移動用ハンドル５０の軸部５１の先端に出没自在に装着されている。詳細には、図示はしないが、掛止部５２ａは、移動用ハンドル５０内に装着した弾性手段により、移動用ハンドル５０の軸部５１の先端から弾性的に出没自在となっている。また、弾性手段は、常に、掛止部５２ａを移動用ハンドル５０の先端から突出する方向に付勢している。弾性手段は、例えば、移動用ハンドル５０の内部に収容され、前記掛止部５２ａに作用的に連結されたコイルスプリング等のばね部材からなる。例えば、掛止棒５２において軸部５１内に常に位置する部分、例えば中間部にコイルスプリングを外装して取付けると共に、コイルスプリングの一端を軸部５１の内周面に、他端を掛止棒５２の中間部の外周面にそれぞれ固着することにより、掛止部５２ａが軸部５１の先端から弾性的に出没自在となる。
【００２４】
前記操作部５３は、移動用ハンドル５０の基端側に配設され、掛止部５２ａに作用的に連結される。実施の形態１では、操作部５３は、掛止棒５２の基端に一体的に設けた環状の取っ手からなり、線状部材としての掛止棒５２を介して掛止部５２ａの基端側に連結される。そして、作業者が操作部５３を手前（基端側）に引張ることにより、弾性手段の付勢力に抗して、掛止部５２ａを移動用ハンドル５０の軸部５１の先端から内部に没入する方向に移動することができる。前記柄部５４は、移動用ハンドル５０の基端側に配設される。実施の形態１では、柄部５４は、軸部５１の基端部に一体的に設けた略Ｕ字状の部材からなり、作業者の手により把持して移動用ハンドル５０を押し引き操作したり、前後に傾動操作したりできるようになっている。
【００２５】
前記移動手段は、更に、アングル材６１，６５及び車軸６２，６６を介して第１及び第２の回動材２１，２５に連結した左右一対の車輪６３，６７を備える。即ち、前記第１の回動材２１の他端及び第２の回動材２１，２５の他端には、それぞれ、一方のアングル材６１及び他方のアングル材６５の長さ方向一端が固定され、前記第１及び第２の回動材２１，２５の軸方向と略直交して延びている。車輪６３，６７は、アングル材６１，６５と略直交する車軸６２，６６を介してアングル材６１，６５の長さ方向他端に回動自在に軸着されている。
【００２６】
なお、前記移動用ハンドル４０、連結軸１５、第１及び第２の回動材２１，２５及びアングル材６１，６５は、車輪６３，６７に対して、下降位置と上昇位置との間で吊下げ支持手段を昇降操作自在で、下降位置で長尺剛性材Ｐを吊下げ支持手段に装着し、上昇位置で吊下げ支持手段に装着した長尺剛性材Ｐを持ち上げて支持自在な昇降手段を構成する。
【００２７】
次に、実施の形態１に係る長尺剛性材運搬装置の使用時の動作及び使用方法について説明する。
上記のように、移動手段は、移動用ハンドル５０を、連結軸１５を介して、吊下げ支持手段としての横架材１０並びに第１及び第２の回動材２１，２５に作用的に連結し、移動用ハンドル５０により吊下げ支持手段を押し引き操作して、吊下げ支持手段に装着した長尺剛性材Ｐを車輪６３，６７を介して移動自在としている。また、前記移動用ハンドル５０は、図５に示す前傾位置と図６に示す後傾位置との間で傾動操作自在とされ、その傾動操作に伴い連結軸１５を正逆回転して、第１及び第２の回動材２１，２５を正逆回転自在となっている。具体的には、図５に示す移動用ハンドル５０の前傾位置では、軸部５１の外周面前側が横架材１０のハンドル用開口１１の前端縁に当接して、更なる前方への傾動を阻止されている。このとき、連結軸１５は、軸部用開口１６が横架材１０のハンドル用開口１１の前端縁付近に位置する最前方周回位置となり、第１及び第２の回動材２１，２５は、連結軸１５と連動して、最前方周回位置に配置される。これにより、アングル材６１，６５が略水平状態となり、横架材１０が最下位置となって、吊下げ支持手段が下降位置となる。即ち、図１、図３及び図５に示すように、吊下げ部の支持突起３１，３２が最前方位置となり、可撓性長尺材３３が最も垂れ下がった垂下状態となる。これにより、長尺合成剤Ｐを垂下状態の環状の可撓性長尺材３３の内側に挿入し、その長さ方攻略中央を可撓性長尺材３３の位置に配置する。このとき、可撓性長尺材３３は地面に一定部分が接触した状態にあり、長尺剛性材Ｐを容易に挿入できる。また、可撓性長尺材３３に挿入した長尺剛性材Ｐも、その全長が地面に接触した状態にある。またこのとき、移動用ハンドル５０の掛止部５２ａは、弾性手段により付勢されて軸部５１から連結軸１５の掛止部挿通孔１６ａ全体を延びるよう突出する第１の突出量となるが、横架材１０の内周面に先端が当接してそれ以上の突出を阻止され、連結軸１５の掛止部挿通孔１６ａ内に完全に収容される。
【００２８】
一方、移動用ハンドル５０を柄部５４を介して図６に示す後傾位置へと傾動すると、軸部５１の外周面後側が横架材１０のハンドル用開口１１の後端縁に当接して、更なる後方への傾動を阻止される。このとき、連結軸１５は、軸部用開口１６が横架材１０のハンドル用開口１１の後端縁付近に位置する最後方周回位置となり、第１及び第２の回動材２１，２５は、連結軸１５と連動して、最後方周回位置に配置される。これにより、アングル材６１，６５が略垂直状態となり、横架材１０が最上位置となって、吊下げ支持手段が上昇位置となる。即ち、図２及び図６に示すように、吊下げ部の支持突起３１，３２が最後方位置となり、可撓性長尺材３３が最も引き上げられた支持状態となる。このとき、可撓性長尺材３３は地面から全体が引き上げられて地面との接触部分が無くなり、可撓性長尺材３３に挿入した長尺剛性材Ｐも、可撓性長尺材３３の上昇に伴い上方に持ち上げられる。これにより、可撓性長尺材３３が、その内側に挿入した長尺剛性材Ｐを地面から持ち上げて吊り下げ状態で支持する。またこのとき、掛止部５２ａが横架材１０の掛止孔１２に整合し、移動用ハンドル５０の掛止部５２ａは、弾性手段により付勢されて軸部５１から連結軸１５の掛止部挿通孔１６ａ全体を延びると共に、横架材１０の掛止孔１２内に挿入及び掛止される。これにより、移動用ハンドル５０を横架材１０に対して後傾位置のまま固定することができる。なお、横架材１０の掛止孔１２は、掛止部５２ａを略密接状態で収容する程度の直径の円形孔である。また、掛止部５２ａの第２の突出量は、掛止部５２ａの先端が横架材１０の外周面と略面一となり、掛止孔１２から突出しない程度の長さである。更に、このとき、長尺弾性材４０の前後両端の当接部４１，４２は長尺剛性材Ｐと接触状態となり、長尺剛性材Ｐの長さ方向一端側及び他端側における長さ方向中心からの同一距離の位置の上面を上側からそれぞれ点状に当接支持する。こうして、長尺弾性材４０の前後両端の当接部４１，４２により、長尺剛性材Ｐの長さ方向一端側及び他端側における荷重を均衡させて姿勢を安定させることができる。なお、前記吊下げ支持手段の下降位置では、長尺弾性材４０の前後両端の当接部４１，４２は長尺剛性材Ｐと接触状態或いは非接触状態のいずれとしても良い。
【００２９】
この状態で、作業者は、後傾位置に固定した移動用ハンドル５０の柄部５４を握って、移動用ハンドル５０を前方に押すことにより、連結軸１５、横架材１０、略垂直状態のアングル材６１，６５、車軸６２，６６及び車輪６３，６７を介して、長尺剛性材Ｐを前方である搬送方向Ｄに円滑に運搬することができる。このとき、長尺弾性材４０により、長尺剛性材Ｐの前後の上下動が吸収及び抑制され、長尺剛性材Ｐを常に水平状態に維持して搬送方向Ｄに運搬することができる。よって、長尺剛性材Ｐの前端または後端が地面と接触して運搬に支障をきたすといった事態を確実に防止することができる。なお、作業者は、移動用ハンドル４０を手前に引っ張ることにより、長尺剛性材Ｐを搬送方向Ｄと反対の方向に引いて移動することも可能である。
【００３０】
長尺剛性材Ｐを目的地まで運搬したら、作業者は、移動用ハンドル５０の操作部５３を手前に引っ張り、掛止棒５２を手前（先端側）に引っ張って、先端の掛止部５２ａを前記第２の突出量から第１の突出量として横架材１０の掛止孔１１から引き抜くことができる。これにより、作業者は、掛止部５２ａを連結軸１５の掛止部挿通孔１６ａ内に完全に収容して、前記移動用ハンドル５０と横架材１０との掛止状態を解除し、移動用ハンドル５０を後傾位置から前方に傾動することができる。そして、作業者が、移動用ハンドル５０を前傾位置まで傾動すると、上記前傾位置から後傾位置への動作とは逆の動作により、可撓性長尺材３３が支持状態から垂下状態となり、長尺剛性材Ｐを地面に円滑に降ろすことができる。
【００３１】
上記のように、実施の形態１に係る長尺剛性材運搬装置は、１台のみで長尺剛性材Ｐとしての管材や柱材を支持して運搬することができ、運搬コストを低減することができる。また、実施の形態１に係る長尺剛性材運搬装置は、上記構成の吊下げ支持手段や昇降手段を採用したことにより、長尺剛性材Ｐの支持作業も簡単で運搬作業を容易かつ迅速に行うことができる。更に、実施の形態１に係る長尺剛性材運搬装置は、上記構成の姿勢安定化手段を採用したことにより、運搬中の管材や柱材の姿勢を安定させ、脱落等の不具合を確実に防止することができる。
【００３２】
実施の形態２
図７は本発明の実施の形態２に係る長尺剛性材運搬装置の連結部分を示す分解斜視図である。
実施の形態２に係る長尺剛性材運搬装置は、移動用ハンドルの柄部の構成と、掛止部の連結軸への固定構造とが、実施の形態１に係る長尺合成材運搬装置と異なる。その他の構成は、実施の形態１に係る長尺合成材運搬装置と同様である。即ち、図７に示すように、実施の形態２では、移動用ハンドル１５０は、掛止棒５２の先端に環状の操作柄部１５３を一体的に設けている。この操作柄部１５３は、実施の形態１の操作部５３と柄部５４とを兼用したものであり、前記操作部５３の機能と柄部５４の機能とを兼ね備えている。一方、実施の形態２では、連結軸１１５の一端側には、その外周面から直径方向に貫通して延びる掛止部挿通孔１１６が形成されている。掛止部挿通孔１１６は、実施の形態１の軸部収容孔１６と掛止部挿通孔１６とを合わせた長さの円柱状をなし、連結軸１１５を直径方向に貫通している。掛止部挿通孔１１６は、連結軸１１５において前記ハンドル用開口１１から露出する部分の長さの範囲内の位置、好ましくは、その露出部分の長さ方向略中間位置に形成される。これにより、掛止部挿通孔１１６ａは、連結軸１５の外周面において直径方向に対向する位置でそれぞれ開口している。そして、掛止部５２ａの全体が、連結軸１５の掛止部挿通孔１１６内に同軸上に挿通され、掛止部挿通孔１１６内を軸方向に移動自在となっている。ここで、連結軸１１５の掛止部挿通孔１１６は、移動用ハンドル５０の掛止部５２ａと略同一径の円柱状をなし、掛止部５２ａを連結軸１１５の掛止部挿通孔１１６に収容することにより、実施の形態１と同様、移動用ハンドル５０を連結軸１１５に固定している。また、掛止部５２ａは、連結軸１１５の掛止部挿通孔１１６の内周面に摺接して軸方向に移動自在である。
【００３３】
実施の形態２に係る長尺剛性材運搬装置は、実施の形態１と同様にして使用することができ、同様の作用及び効果を発揮することができる。加えて、操作柄部１５３により実施の形態１の操作部５３と柄部５４とを兼用して、全体の構成を更に簡素化することができる。更に、連結軸１１５に形成する掛止部挿通孔１１６は単一の孔であり、実施の形態１における連結軸１５の軸部収容孔１６及び掛止部挿通孔１６ａといった段付孔と比較してその加工が簡単となる。
【００３４】
ところで、上記各実施の形態では、横架材１０の一端側にハンドル用開口１１を設けたが、本発明の長尺剛性材運搬装置は、横架材にハンドル用開口を設けず、横架材を単なる円筒状として、その一端の円形の開口から連結軸１５，１１５の一端部を突出し、その突出部分に移動用ハンドル５０を固定することもできる。この場合も、移動用ハンドル５０を正逆方向に傾動し、連結軸１５，１１５を正逆方向に回動して、横架材１０を昇降することができる。一方、この場合、実施の形態１のハンドル用開口１１のように、移動用ハンドル５０を前傾位置及び後傾位置で停止することはできないため、かかる停止手段を横架材の一端部に設けることが好ましい。また、実施の形態１の掛止孔１２のように、移動用ハンドル５０の掛止部５２ａを掛止することできないため、かかる掛止手段を横架材の一端部に設けることが好ましい。
【００３５】
本発明の長尺剛性材運搬装置において、吊下げ部は、横架材１０から下方に垂下する略環状部分を形成自在で、その環状部分に長尺剛性材Ｐを挿入して吊下げ支持自在であれば、上記可撓性長尺材３３の構成以外にも、任意の構成とすることができる。例えば、吊下げ部として、上記のようなチェーン（鎖）状のものを使用する以外に、チェーン状のものに樹脂シートを被覆したものや、ロープ状のものや、ワイヤ状のものを使用することもできる。また、吊下げ部は、剛性環状材を使用することも可能である。例えば、剛性環状材は、長尺剛性材の外周形状である円形に対応する内周形状とする。或いは、剛性環状材は、長尺剛性材の下側（下半部）の外周面の所定角度（全周）にわたって断続的に定間隔（所定角度間隔）で点状に当接して吊下げ支持自在な構成とすることも可能である。この場合、長尺剛性材の外周形状である円形に対応する環状（多角形）を有する剛性環状材となる。
【００３６】
本発明の長尺剛性材運搬装置では、吊下げ支持手段は、上記以外の構成とすることもできる。また、連結軸１５，１１５は、断面多角形の長尺状とすることもできる。更に、上記各実施の形態では、連結軸１５，１１５の外周面が横架材１０の内周面に摺接して回動自在となっているが、これ以外にも、連結軸１５，１１５を横架材１０内で回動自在とする限りにおいて、任意の構成とすることができ、例えば、連結軸１５，１１５を他の部材（シュー等）を介して横架材１０内に回動自在なよう収容することもできる。また、第１及び第２の回動材２１，２５は、連結軸１５，１１５の軸方向両端に同軸上に固定され、連結軸１５，１１５の軸を中心とした回動に連動して同一方向に回動する限りにおいて、任意の構成とすることができ、例えば、略円筒状または略円柱状以外にも、断面多角形の長尺状としたり、単なるブロック状としたりすることもできる。また、第２の回動材２５を略円筒状ではなく略円柱状としたり、或いは、連結軸１５，１１５の他端を横架材１０の他端から突出させずに面一とし、その他端面に第２の回動材の対向する端面を接合固定したりすることもできる。更に、連結軸１５，１１５は、略円柱状ではなく略円筒状としてもよい。この場合、移動用ハンドル５０の軸部５１を密嵌して固定する円形の孔を連結軸１５，１１５の周壁に形成すると共に、直径方向に対向する周壁の位置に、掛止部５２ａを挿通自在な孔を形成する。このとき、軸部５１は、その先端が連結軸１５，１１５の内部の途中（略中心位置）まで延びるよう、連結軸１５，１１５に固定することもできる。或いは、軸部５１の先端が連結軸１５，１１５の直径方向全体を延び、円筒状の連結軸１５，１１５の内周面に当接した状態で、軸部５１を連結軸１５，１１５に固定することもできる。更に、移動用ハンドル５０の掛止部５２ａを摺動自在に挿通固定する円形の孔を連結軸１５，１１５の周壁の直径方向における対向位置にそれぞれ形成することもできる。
【００３７】
また、本発明の長尺剛性材運搬装置では、姿勢安定化手段は、長尺剛性材Ｐの長さ方向一端側上面及び他端側上面の両方を当接支持する以外にも、長尺剛性材Ｐの長さ方向両端側の上下動を抑制して姿勢を安定化自在である限りにおいて、任意の構成とすることができ、例えば、長尺剛性材Ｐの一端側上面または他端側上面の一方のみを当接支持するよう構成してもよい。或いは、前記姿勢安定化手段は、長尺剛性材Ｐの長さ方向一端側下面及び／または他端側下面を当接支持して安定化することも可能である。
【００３８】
更に、本発明の長尺剛性材運搬装置では、移動手段は、移動用ハンドル５０のようなハンドル手段を有さず、車輪のみの構成とすることもできるが、ハンドル手段等の移動用の手段を設けることが好ましい。また、ハンドル手段は、移動用ハンドル５０以外にも、吊下げ支持手段に作用連結され、吊下げ支持手段を押したり引いたりすることができ、吊下げ支持手段に装着した長尺剛性材を車輪６３，６７等の移動手段を介して移動操作可能な限りにおいて、任意の構成とすることができ、例えば、横架材１０に先端を固着した紐状の引張り部材とすることもできる。更にまた、掛止部は、移動用ハンドル５０の先端に出没自在に装着され、横架材１０の掛止孔１２に掛止自在とする限りにおいて、任意の構成とすることができる。例えば、実施の形態１のように掛止棒５２の先端部を掛止部５２ａとして使用するのではなく、掛止部を短い棒状として、操作部を、ワイヤ等の線状部材を介して掛止部の基端側に連結してもよい。また、操作部は、環状の取っ手以外の構成とすることもできる。
【００３９】
更に、本発明の長尺剛性材運搬装置で運搬対象となる長尺剛性材Ｐは、柔軟で自重により湾曲または屈曲するような柔構造の長尺物以外の全ての長尺材を含み、例えば、鉄鋳管等の金属製の長尺物、コンクリート管等のコンクリート製の長尺物等を含む。また、本発明の長尺剛性材運搬装置では、前記移動用ハンドル５０により、てこの原理で、連結軸１５，１１５やアングル材６１，６５等を介して長尺剛性材Ｐを小さい力で簡単に昇降することができる。よって、移動用ハンドル５０の長さは、図では説明の便宜上短く描画されているが、実際は、作業者による傾動操作時や運搬時の使い勝手等も勘案して、できるだけ長くすることが好ましい。
【００４０】
【発明の効果】
請求項１に係る長尺剛性材運搬装置は、上記のように構成したため、吊下げ支持手段に長尺剛性材を吊下げた状態で移動手段により運搬することができると共に、運搬中の長尺剛性材の姿勢を姿勢安定化手段により安定化することができる。その結果、請求項１に係る長尺剛性材運搬装置は、１台のみで長尺剛性材としての管材や柱材を支持して運搬することができ、運搬コストを低減することができると共に、その支持作業も簡単で運搬作業を容易かつ迅速に行うことができ、かつ、運搬中の管材や柱材の姿勢を安定させ、脱落等の不具合を確実に防止することができる。
【００４１】
請求項２に係る長尺剛性材運搬装置は、請求項１の効果に加え、昇降手段により吊下げ支持手段を昇降して長尺剛性材の取り付け及び取り外しを簡単かつ円滑に行うことができる。また、移動用ハンドルにより、長尺剛性材の運搬操作を容易かつ円滑に行うことができる。
【００４２】
請求項３に係る長尺剛性材運搬装置は、請求項１または２の効果に加え、横架材と吊下げ部という簡単な構成で、吊下げ部の環状部分に長尺剛性材を挿入して簡単に吊下げ支持することができる。
【００４３】
請求項４に係る長尺剛性材運搬装置は、請求項３の効果に加え、可撓性長尺材により、長尺剛性材の外周形状に追従した状態で長尺剛性材を確実に支持して運搬することができ、長尺剛性材の支持作業及び運搬作業をより円滑に行うことができる。
【００４４】
請求項５に係る長尺剛性材運搬装置は、請求項１乃至４のいずれかの効果に加え、長尺剛性材の中心からの同一距離の上面を当接支持することで長尺剛性材の姿勢を安定化できるため、姿勢安定化手段を長尺状の弾性体のような簡単な構成とすることができる。
【００４５】
請求項６に係る長尺剛性材運搬装置は、請求項２の効果に加え、移動用ハンドルの前後への傾動操作という単純操作により、連結軸、回動材及びアングル材を介して、吊下げ支持手段を上昇位置または下降位置とすることができるため、長尺剛性材の取り付け及び取り外し作業をより簡単かつ迅速に行うことができる。
【００４６】
請求項７に係る長尺剛性材運搬装置は、請求項６の効果に加え、横架材の掛止孔に対して移動用ハンドルの掛止部を掛止することができ、移動用ハンドルを連結軸に対して後傾位置で角度固定することができる。
【図面の簡単な説明】
【図１】図１は本発明の実施の形態１に係る長尺剛性材運搬装置における吊下げ支持手段の下降位置を示す斜視図である。
【図２】図２は本発明の実施の形態１に係る長尺剛性材運搬装置における吊下げ支持手段の上昇位置を示す斜視図である。
【図３】図３は本発明の実施の形態１に係る長尺剛性材運搬装置における移動用ハンドルの前傾位置を示す要部拡大斜視図である。
【図４】図４は本発明の実施の形態１に係る長尺剛性材運搬装置の連結部分を示す分解斜視図である。
【図５】図５は本発明の実施の形態１に係る長尺剛性材運搬装置における移動用ハンドルの前傾位置及び吊下げ支持手段の下降位置を示す説明図である。
【図６】図６は本発明の実施の形態１に係る長尺剛性材運搬装置における移動用ハンドルの後傾位置及び吊下げ支持手段の上昇位置を示す説明図である。
【図７】図７は本発明の実施の形態２に係る長尺剛性材運搬装置の連結部分を示す分解斜視図である。
【符号の説明】
１０：横架材（吊下げ支持手段）、１１：ハンドル用開口
１２：掛止孔、１５：連結軸
２１：第１の回動材（昇降手段）、２５：第２の回動材（昇降手段）
３０：吊下げ部（吊下げ支持手段）、３３：可撓性長尺材（吊下げ支持手段、吊下げ部）
４０：長尺弾性材（姿勢安定化手段）、５０：移動用ハンドル
５２ａ：掛止部、５３：操作部
６１，６５：アングル材（昇降手段）、６２，６６：車軸
６３，６７：車輪（移動手段）、１５３：操作柄部（操作部）
Ｐ：長尺剛性材
【図１】
2004284543.tif 000003
【図２】
2004284543.tif 000004
【図３】
2004284543.tif 000005
【図４】
2004284543.tif 000006
【図５】
2004284543.tif 000007
【図６】
2004284543.tif 000008
【図７】
2004284543.tif 000009